(57)【要約】      （修正有）【課題】片手で掴持しながら簡単な操作で定量排出可能な容器を低コストで提供。【解決手段】  外円筒部の下端に、漏斗状の縮径円筒部を垂下設し、縮径円筒部下端に排出部を形成し、外円筒部に摺動可能な内円筒部の下端に複数連結片を介し、縮径円筒部を密閉する栓体部を内円筒部に垂下設した内容器体を有し、栓体部を摺動可能に内接する円板状の第１フランジと第２フランジを上下に連結して、スプリングで上方付勢した状態で内容器体の摺動上限位置で、収納した粉粒状物が連結片間及び縮径部を経て第１フランジと第２フランジ間に移動可能に、第２フランジが縮径円筒部に内接すると共に、第１フランジが縮径部以上の高さに位置し、内容器体の押し込み下降操作により、第１フランジが縮径円筒部に内接して第１フランジと第２フランジと縮径円筒部で定量室が形成され、更なる下降により第２フランジが排出高さに達し、定量の内容物が排出するように構成する。【選択図】図１
2006008236.tif 000002
【特許請求の範囲】
【請求項１】
外円筒部(2)の下端に、漏斗状の縮径部(4)を介して縮径円筒部(5)を垂下設し、該縮径円筒部(5)筒壁の下端部に切り欠き状に排出部(6)を形成した外容器体(1)と、前記外円筒部(2)に摺動可能に内接する内円筒部(12)の下端に複数の連結片(14)を介して、前記縮径円筒部(5)を密閉して縮径部(4)と共に底部を形成する栓体部(15)を内円筒部(12)の中心軸に沿って垂下設した内容器体(11)を有し、
前記栓体部(15)を、前記縮径円筒部(5)に摺動可能に内接する円板状の第１フランジ(16)と第２フランジ(17)を上下に連結して形成し、スプリング(S)により上方に付勢した状態で前記外容器体(1)に挿入した内容器体(11)の摺動上限位置で、内円筒部(12)内に収納された粉粒状の内容物が連結片(14)間および縮径部(4)を経て第１フランジ(16)と第２フランジ(17)の間に移動可能に、第２フランジ(17)が前記縮径円筒部(5)に内接すると共に、第１フランジ(16)が縮径部(4)以上の高さに位置し、前記内容器体(11)の押し込み下降操作により、第１フランジ(16)が縮径円筒部(5)に内接して第１フランジ(16)と第２フランジ(17)と縮径円筒部(5)で定量室(R)が形成され、更なる下降により第２フランジ(17)が排出部(6)の高さ位置に達し、該排出部(6)から定量の内容物(C)が排出されるように構成した定量容器。
【請求項２】
外円筒部(2)の上端に上方に拡径する拡径部(3a)を介して拡径外円筒部(3)を起立設し、内円筒部(12)の上端に上方に拡径する拡径部(13a)を介して前記拡径外円筒部(3)に内接する拡径内円筒部(13)を起立設し、拡径外円筒部(3)と内円筒部(12)の間隙にコイルスプリング(S)を配設し、内容器体(11)を上方付勢した請求項１記載の定量容器。
【請求項３】
縮径円筒部(5)の内周面に係止段部(5a)を周設し、第２フランジ(17)の上面周縁の該係止段部(5a)への当接により内容器体(11)の摺動上限位置を決める構成とした請求項１または２記載の定量容器。
【請求項４】
誤操作防止のため、外円筒部(2)と内円筒部(12)のいずれか一方の上端部に軸方向にキー溝(8)を形成し、他方に該キー溝に摺動可能に嵌合する縦条(19)を形成した請求項１、２または３記載の定量容器。
【請求項５】
内容器体(11)の上部開口端にヒンジを介して蓋(9)を付設した請求項１、２、３または４記載の定量容器。
【発明の詳細な説明】
【技術分野】
【０００１】
本発明は、粒状、顆粒状あるいは粉体状の内容物を所定量、定量して排出する定量容器に関するものである。
【背景技術】
【０００２】
従来より米、粒状で服用する薬等、家庭用の様々な分野で定量容器が使用されている。たとえば特許文献１には家庭用粉末洗剤向けの定量容器に係る発明が記載されている。
【特許文献１】特開平１０−７１７６号公報
【発明の開示】
【発明が解決しようとする課題】
【０００３】
本発明は、片手で掴持しながら排出操作ができる等、簡単な操作が可能な定量排出機構を有する定量容器を低コストで提供することにある。
【課題を解決するための手段】
【０００４】
上記技術的課題を解決する手段のうち、請求項１記載の発明の手段は、
外円筒部の下端に、漏斗状の縮径部を介して縮径円筒部を垂下設し、この縮径円筒部の筒壁下端部に切り欠き状に排出部を形成した外容器体を有すること、
外円筒部に摺動可能に内接する内円筒部の下端に複数の連結片を介して、縮径円筒部を密閉して縮径部と共に底部を形成する栓体部を内円筒部の中心軸に沿って垂下設した内容器体を有すること、
栓体部を、縮径円筒部に摺動可能に内接する円板状の第１フランジと第２フランジを上下に連結して形成すること、
スプリングにより上方に付勢した状態で外容器体に挿入した内容器体の摺動上限位置で、内円筒部内に収納された粉粒状の内容物が連結片間および縮径部を経て第１フランジと第２フランジの間に移動可能に、第２フランジが縮径円筒部に内接すると共に、第１フランジが縮径部以上の高さに位置し、
内容器体の押し込み下降操作により、第１フランジが縮径円筒部に内接して第１フランジと第２フランジと縮径円筒部で定量室が形成され、
更なる下降により第２フランジが排出部の高さ位置に達し、この排出部から定量の内容物が排出されるように構成すること、
にある。
【０００５】
請求項１記載の上記構成により、内容器体を外容器体に挿入して組み付けると、内容器体はスプリングにより上方に付勢されて摺動上限に位置し、この状態で内容器体の上端開口部から粉粒状の内容物が充填されて収納される。ここで粉粒状とは、粒状、顆粒状、粉体状であることを指す。
【０００６】
また、この状態では栓体部の第２フランジは漏斗状の縮径部の下端に垂下設される縮径円筒部に摺動可能に内接して密閉した状態であり、この第２フランジと縮径部により容器の底部が形成される。また第１フランジは縮径部以上の高さ位置にあるので、内円筒内に収納された粉粒状の内容物は順次、連結片間および縮径部を経て第１フランジと第２フランジの間に移動する。
【０００７】
次に、内容物の排出にあたっては内容器体をスプリングによる上方への付勢力に逆らいながら下方に押し込むが、ある程度押し込んだ状態で、第１フランジが縮径円筒部に内接し、第１フランジと第２フランジと縮径円筒部で定量室が形成され、一定量の内容物をこの定量室に区分けすることができる。
【０００８】
さらに、内容器体を下降することにより、第２フランジが縮径円筒部の下端部に形成された排出部の高さ位置に達し、この排出部から定量室に区分けされた一定量の内容物を排出することができる。
【０００９】
そして、内容物の排出後、押し込みのための力を除けばスプリングの力により内容器体は元の摺動上限位置に戻り、第２フランジにより容器の底部が密閉されると共に、内容物が連結片間および縮径部を経て第１フランジと第２フランジの間に移動し、次の排出の準備ができ、定量操作をなんら意識することなく再現良く定量、排出操作を繰り返し実施することができる。
【００１０】
そして、第１請求項の構成の外容器体、内容器体はいずれも合成樹脂で射出成形での一体成形が可能であり、この２つの部材とスプリングを組み立てることにより、低コストの定量容器を提供することができる。
【００１１】
請求項２記載の発明の手段は、請求項１記載の発明において、
外円筒部の上端に上方に拡径する拡径部を介して拡径外円筒部を起立設し、内円筒部の上端に上方に拡径する拡径部を介して拡径外円筒部に内接する拡径内円筒部を起立設し、拡径外円筒部と内円筒部の間隙にコイルスプリングを配設し、内容器体を上方付勢すること、にある。
【００１２】
請求項２記載の上記構成は、内容器体をスプリングで上方付勢するための具体的な構成を示すものである。拡径外円筒部と内円筒部の間隙にコイルスプリングを配設し、このコイルスプリングの上端を内容器体の外周面拡径部に、そして下端を外容器体の内周面拡径部に当接させることにより、この上方付勢を簡単な構造、容易な組み立て操作で達成することができる。
【００１３】
請求項３記載の発明の手段は、請求項１または２記載の発明において、縮径円筒部の内周面に係止段部を周設し、第２フランジの上面周縁のこの係止段部への当接により内容器体の摺動上限位置を決める構成としたこと、にある。
【００１４】
請求項３記載の構成は、内容器体の摺動上限位置を決めるための具体的な構成を示すものであり、縮径円筒部の内周面に係止段部を周設し、第２フランジの上面周縁のこの係止段部への当接により上限位置を決めるものであり、簡単な構造でこの機能を達成することができる。
【００１５】
請求項４記載の発明の手段は、請求項１、２または３記載の発明において、誤操作防止のため、外円筒部と内円筒部のいずれか一方の上端部に軸方向にキー溝を形成し、他方にこのキー溝に摺動可能に嵌合する縦条を形成したこと、にある。
【００１６】
請求項４記載の上記構成により、内容器体の内容物を排出する際には内容器体と外容器体を相対的に回動させてキー溝と縦条の位置を合わせる必要があり、誤って内容物を排出してしまう等の誤操作を防ぐことができる。
【００１７】
請求項５記載の発明の手段は、請求項１、２、３または４記載の発明において、内容器体の上部開口端にヒンジを介して蓋を付設したこと、にある。
【００１８】
請求項５記載の上記構成により、内容物の収納操作、内容器体の押し込み操作を容易に実施することができる。
【発明の効果】
【００１９】
本発明は上記した構成であり、以下に示す効果を奏する。
請求項１記載の発明にあっては、内容物の排出後、押し込みのための力を除けばスプリングの力により内容器体は元の摺動上限位置に戻り、第２フランジにより容器の底部が密閉されると共に、内容物が連結片間および縮径部を経て第１フランジと第２フランジの間に移動し、次の一定量の排出の準備ができ、定量操作をなんら意識することなく再現良く定量、排出操作を繰り返し実施することができる。
【００２０】
また、内容器体はいずれも合成樹脂で射出成形での一体成形が可能であり、この２つの部材とスプリングを組み立てることにより、低コストの定量容器を提供することができる
【００２１】
請求項２記載の発明にあっては、拡径外円筒部と内円筒部の間隙にコイルスプリングを配設し、このコイルスプリングの上端を内容器体の外周面拡径部に、そして下端を外容器体の内周面拡径部に当接させることにより、この上方付勢を簡単な構造、容易な組み立て操作で達成することができる。
【００２２】
請求項３記載の発明にあっては、縮径円筒部の内周面に係止段部を周設し、第２フランジの上面周縁のこの係止段部への当接により内容器体の摺動上限位置を決めるものであり、簡単な構造でこの機能を達成することができる。
【００２３】
請求項４記載の発明にあっては、キー溝と縦条により、誤って内容物を排出してしまう等の誤操作を防ぐことができる。
【００２４】
請求項５記載の発明にあっては、内容器体の上部開口端にヒンジを介して蓋を付設することにより内容物の収納操作、内容器体の押し込み操作を容易に実施することができる。
【発明を実施するための最良の形態】
【００２５】
以下本発明の実施の形態を図面を参照して説明する。
図１〜図３は本発明の定量容器の一実施例を示すものであり、合成樹脂製の射出成形品である外容器体１と内容器体１１とコイルスプリングＳから構成される。
【００２６】
外容器体１は外円筒部２を有し、この外円筒部２の上端から上方に向けて拡径する拡径部３ａを介して、拡径外円筒部３を起立設しており、この拡径外円筒部３の内周面の軸対称の位置に一対のキー溝８を形成している。また拡径部３ａの上端内周面には段部３ｂが周設されている。
【００２７】
また、外円筒部２の下端からは漏斗状に下方に向かって縮径する縮径部４を介して縮径円筒部５を垂下設すると共に、外円筒部２を下方に延設するようにして縮径部４と縮径円筒部５の外側に容器全体を机上等に起立設置するための袴筒部７を垂下設している。また、縮径円筒部５の内周面には係止段部５ａを周設しており、さらに下端部の周壁の一部を切り欠いて内容物を排出するための排出部６を形成している。
【００２８】
内容器体１１は内円筒部１２を有し、この内円筒部１２の上端から段差状の拡径部１３ａを介して拡径内円筒部１３を起立設しており、この拡径内円筒部１３の外周面には軸対称に一対の縦条１９を形成している。またこの拡径内円筒部１３には上方に向けて拡径状の段部１３ｂが周設されており、さらに上端にはヒンジを介して蓋２０を付設している。
【００２９】
また内円筒部１２の下端からは軸対称に配置した一対の連結片１４を介して栓体部１５を内円筒部１２の中心軸に沿って垂下設している。この栓体部１５は円板状の第１フランジ１６と第２フランジ１７を連結棒１８で上下に連設したものである。本実施例では第２フランジ１７を縮径円筒部５との密閉性および摺動性を良好にするため、テーパー状の頂壁を有した短円筒状に形成している。
【００３０】
図２はコイルスプリングＳをその上端および下端をそれぞれ拡径部１３ａおよび段部３ｂに当接させた状態で拡径外円筒部３と内円筒部１２の間隙に配設し、内容器体１１を外容器体１に挿入して容器を組み立てて、粒子状の内容物Ｃを内容器体１１の上端開口部から充填した状態を示すものであり、内容器体１１はコイルスプリングＳにより上方に付勢されて、第２フランジ１７上面周縁の縮径円筒部５係止段部５への当接により決められる摺動上限に位置している。
【００３１】
この状態で栓体部１５の第２フランジ１７は縮径部４に垂下設される縮径円筒部５に摺動可能に内接して密閉した状態であり、この第２フランジ１７と縮径部４により容器の底部が形成される。また第１フランジ１６は縮径部４の略中央高さ位置にあり、内円筒部１２内に収納された粒子状の内容物Ｃは順次、連結片１４間および縮径部４を経て（図２中の矢印参照）第１フランジ１６と第２フランジ１７の間に移動する。
【００３２】
次に、内容物Ｃの排出にあたっては、キー溝８の位置に縦条１９の位置を合わせて、内容器体１１を、コイルスプリングＳによる上方への付勢力に逆らいながら下方に押し込むが、ある程度押し込んだ状態で（図３（ａ）参照）、第１フランジ１６が縮径円筒部５の上端部に内接し、第１フランジ１６と第２フランジ１７と縮径円筒部５で定量室Ｒが形成され、一定量の内容物Ｃをこの定量室Ｒに区分けすることができる。
【００３３】
さらに、内容器体１１を下降させることにより、第２フランジ１７が縮径円筒部５の下端部に形成された排出部６の高さ位置に達し、この排出部６から定量室Ｒに区分けされた一定量の内容物Ｃを排出することができる（図３（ｂ）参照）。ここで本実施例では内容器体１１の摺動下限は、拡径内円筒部１３の段部１３ｂの下面が、拡径外円筒部３の上端面に当接することにより決まる。
【００３４】
そして、内容物Cの排出後、押し込みのための力を除けばコイルスプリングＳの力により内容器体１１は元の摺動上限位置に戻り、第２フランジ１７により容器の底部が密閉されると共に、内容物Ｃが連結片１４間および縮径部４を経て第１フランジ１６と第２フランジ１７の間に移動し、次の一定量の排出の準備ができる。
【００３５】
このように、定量操作をなんら意識することなく再現良く定量、排出操作を繰り返し実施することができ、たとえばこの定量容器を手で掴持できる程度の大きさにすれば、指で内容器体１１を下方に押し込んで、調味料、薬剤等の定量容器として、また携帯用にも手軽に使用することができる。また、通常の米に少量の強化米等を一定量加えるのにも便利に使用することができる。
【００３６】
なお、本発明の作用効果は上記説明した実施例に限定されるものではなく、たとえばスプリングによる内容器体の上方への付勢方法、内容器体の摺動上限および下限の設定方法、誤動作防止のための構成等は、使用目的、操作性、成形のし易さ等を考慮して適宜決められるものである。
【産業上の利用可能性】
【００３７】
本発明の容器は、手で掴持できる定量容器として低コストで、今までにない便利さで使用できるものであり幅広い用途への展開が期待できる。
【図面の簡単な説明】
【００３８】
【図１】本発明の容器の一実施例を分解して示す斜視図である。
【図２】本発明の容器の一実施例の半縦断正面図である。
【図３】図２の容器において内容物の定量、排出過程を要部縦断して示す説明図である。
【符号の説明】
【００３９】
１  ；外容器体
２  ；外円筒部
３  ；拡径外円筒部
３ａ；拡径部
３ｂ；段部
４  ；縮径部
５  ；縮径円筒部
５ａ；係止段部
６  ；排出部
７  ；袴筒部
８  ；キー溝
１１；内容器体
１２；内円筒部
１３；拡径内円筒部
１３ａ；拡径部
１３ｂ；段部
１４；連結片
１５；栓体部
１６；第１フランジ
１７；第２フランジ
１８；連結棒
１９；縦条
２０；蓋
Ｒ  ；定量室
Ｓ  ；（コイル）スプリング
C  ；内容物
【図１】
2006008236.tif 000003
【図２】
2006008236.tif 000004
【図３】
2006008236.tif 000005